(57)【特許請求の範囲】
【請求項１】
超音波を送受信させる超音波送受信部を有する先端部と、取っ手となるグリップ部と、穿刺針を挿入する機構とを備えた体腔内超音波探触子において、前記先端部と前記グリップ部との間の硬性部を上部から覆うニードルカバー上部材と、前記硬性部を下部から覆うニードルカバー下部材と、前記硬性部を挟んだ状態で前記ニードルカバー上部材と前記ニードルカバー下部材とを固定する固定具とを備え、前記ニードルカバー上部材は溝部を有し、前記ニードルカバー上部材と前記硬性部の間で前記穿刺針を挿入するための穿刺孔が形成されることを特徴とする体腔内用超音波探触子。
【発明の詳細な説明】
【０００１】
【発明の属する技術分野】
本発明は、体腔内用超音波探触子に関し、特に、腹腔鏡手術において、体腔内に留置する管（以下、トロッカと呼ぶ）に挿入可能な超音波探触子であり、さらに穿刺機構を有していて、その穿刺機構を利用して、臓器の診断部位の生検や治療を行うことが可能な技術に適用して有効な技術に関する。
【０００２】
【従来の技術】
従来の体腔内用超音波探触子は、例えば、腹腔鏡手術において、トロッカに挿入可能で、穿刺針を挿入する機構（単に「穿刺機構」という）を有しており、その穿刺機構を利用して、臓器の診断部位の生検や治療を行つている。
【０００３】
【従来の技術】
前記の従来の技術では、穿刺針が通る穿刺孔は、長く細い管腔状の構造であったため、洗浄、消毒、滅菌することが困難であった。
【０００４】
本発明の目的は、穿刺孔の洗浄、消毒、滅菌の困難さを解決し、患者間や医療従事者と患者との間の汚染を最小限とし、生物学的安全性の高い穿刺が可能な技術を提供することにある。
本発明の前記ならびにその他の目的と新規な特徴は、本明細書の記述及び添付図面によって明らかになるであろう。
【０００５】
【課題を解決するための手段】
本願において開示される発明のうち、代表的なものの概要を簡単に説明すれば、下記のとおりである。
【０００６】
（１）体腔内に留置する管（トロッカ）に挿入可能であり、穿刺針を挿入する機構を有した超音波探触子において、前記穿刺針を挿入する穿刺孔の少なくとも一部を脱着可能に形成したものである。
【０００７】
（２）前記手段（１）の体腔内用超音波探触子において、前記超音波探触子の湾曲部は穿刺孔（鉗子口）を内部に通し、硬性部は取外し可能なカバーに溝を形成したものである。
【０００８】
（３）前記手段（２）の体腔内用超音波探触子において、前記湾曲部は穿刺孔（鉗子口）を内部に有し、硬性部は溝を形成して、穿刺孔（鉗子口）を形成するものである。
【０００９】
（４）前記手段（３）の体腔内用超音波探触子において、前記湾曲部は穿刺孔（鉗子口）を内部に有し、硬性部は溝を形成して、取外し可能なカバーによって紺子口を形成するものである。
【００１０】
（５）前記手段（２）の体腔内用超音波探触子において、前記穿刺孔（鉗子口）の湾曲部は湾曲部の中心に対して点対称となる様に穿刺孔（鉗子口）を保持し、湾曲動作において、穿刺孔（鉗子口）の長さが変化しないように配置したものである。
【００１１】
（６）前記手段（２）の体腔内用超音波探触子において、前記穿刺孔（鉗子口）の湾曲部の中心部を通すように保持し、湾曲動作によって穿刺孔（鉗子口）の長さが変化しないように配置したものである。
【００１２】
本発明は、超音波を送受信させる超音波送受信部を有する先端部と、取っ手となるグリップ部と、穿刺針を挿入する機構とを備えた体腔内超音波探触子において、前記先端部と前記グリップ部との間の硬性部を上部から覆うニードルカバー上部材と、前記硬性部を下部から覆うニードルカバー下部材と、前記硬性部を挟んだ状態で前記ニードルカバー上部材と前記ニードルカバー下部材とを固定する固定具とを備え、前記ニードルカバー上部材は溝部を有し、前記ニードルカバー上部材と前記硬性部の間で前記穿刺針を挿入するための穿刺孔が形成される。
【００１３】
本発明のポイントは、体腔内用超音波探触子の先端部に臓器の診断が行えるように超音波送受信部を備え、その形状はトロッカに挿入可能な形状をしている。また、臓器の診断部位の生検や治療ができるように穿刺機構を備えている。また、穿刺針が通る穿刺孔が洗浄、滅菌し易いように、ハウジング（ニードルカバー）を上下に分割できる構造となっている。
【００１４】
このようにすることにより、例えば、穿刺機構を有する腹腔用超音波探触子において、穿刺針が通過する経路を確実に洗浄、滅菌あるいは消毒を行うことができる。
【００１５】
【発明の実施の形態】
以下、本発明について、発明の実施の形態（実施例）とともに図面を参照して詳細に説明する。
なお、発明の実施例を説明するための全図において、同一機能を有するものは同一符号を付け、その繰り返しの説明は省略する。
【００１６】
（実施例１）
図１は、本発明の実施例１の腹腔用超音波探触子（体腔内用超音波探触子）の概略構成を示す外観図、図２は、図１からニードルカバー上部材及びニードルカバー下部材を取り外した外観図、図３は、図１の挿入部の断面図、図４は、図２の挿入部の断面図、図５は、図１のＡ−Ａ断面図、図６は、ニードルカバー上部材及びニードルカバー下部材を取り外した斜視図、図７は、図１の挿入部の斜視図である。
【００１７】
図１乃至図７において、１は超音波送受信部、２は体腔内用超音波探触子の先端部、３は体腔内用超音波探触子の湾曲部、４は体腔内用超音波探触子の硬性部、５は体腔内用超音波探触子のグリップ部、６は湾曲部上下操作部、７は湾曲部左右操作部、８はケーブルブッシュ、９はニードルカバー上部材、１０はニードルカバー下部材、１１は穿刺針、１１-ａは穿刺針先端、１１-ｂは穿刺針末端、１２は穿刺孔（鉗子口）、１２-ａは穿刺孔入口、１２-ｂは穿刺孔出口、１３は固定具である。
【００１８】
本実施例１の腹腔用超音波探触子は、図１に示すように、主に超音波送受信部１を備えた先端部２、湾曲部３、硬性部４、及びグリップ部５で構成されている。これに着脱可能なステンレスなどの錆びにくい金属でできているニードルカバー上部材９及びニードルカバー下部材１０を取り付ける（ハウジングを形成する）ことにより、穿刺孔１２が構成され、穿刺針１１が挿入可能となり、穿刺可能な超音波ブローブとなる。
【００１９】
また、この状態の超音波ブローブの先端部２、湾曲部３、ニードルカバー上部材９及びニードルカバー下部材１０に挟まれた硬性部４は、トロッカ（体腔内に留置する管）に挿入可能である。図６からわかるように、ニードルカバー上部材９とニードルカバー下部材１０は、ニードルカバー上部材９に取り付けられた固定具１３により、硬性部４を挟み込んで固定され、このとき穿刺孔１２が構成される。
【００２０】
前述したようにニードルカバー上部材９とニードルカバー下部材１０は、硬性部４から取り外し可能であり、ニードルカバー上部材９に構成された溝の洗浄は容易に行うことができる。
【００２１】
（実施例２）
本発明の実施例２の腹腔用超音波探触子は、前記実施例１の体腔内用超音波探触子において、図８及び図９に示すように、前記穿刺孔１２の湾曲部３が湾曲部３の中心に対して点対称となるように穿刺孔１２を保持し、湾曲動作において、穿刺孔１２の長さが変化しないように配置したものである。
【００２２】
また、図示していないが、前記湾曲部３の上に穿刺孔（溝）１２を形成し、前記穿刺孔１２の湾曲動作によって変化する穿刺針１１の長さを、取外し可能なハウジング内部と前記穿刺孔（溝）１２中をスライドすることにより調整する。このようにすることより、前記穿刺針１１を目的の患部に容易に穿刺することができる。
【００２３】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００２４】
【発明の効果】
本願において開示される発明のうち代表的なものによって得られる効果を簡単に説明すれば、下記の通りである。
本発明によれば、穿刺機構を有する腹腔用探触子において、穿刺針が通過する経路を確実に洗浄、滅菌あるいは消毒が行える。
【図面の簡単な説明】
【図１】本発明の実施例１の腹腔用超音波探触子（体腔内用超音波探触子）の概略構成を示す外観図である。
【図２】図１からニードルカバー上部材及びニードルカバー下部材を取り外した外観図である。
【図３】図１の挿入部の断面図である。
【図４】図２の挿入部の断面図である。
【図５】図１のＡ−Ａ断面図である。
【図６】図１の硬性部のニードルカバー上部材及びニードルカバー下部材を取り外した展開外観図である。
【図７】図１の挿入部の斜視図である。
【図８】本発明の実施例２の腹腔用超音波探触子の概略構成を示す長方向の断面図である。
【図９】本発明の実施例２の変形例の長方向の断面図である。
【符号の説明】
１…超音波送受信部
２…体腔内用超音波探触子の先端部
３…体腔内用超音波探触子の湾曲部
４…体腔内用超音波探触子の硬性部
５…体腔内用超音波探触子のグリップ部
６…湾曲部上下操作部
７…湾曲部左右操作部
８…ケーブルブッシュ
９…ニードルカバー上部材
１０…ニードルカバー下部材
１１…穿刺針
１１−ａ…穿刺針先端
１１−ｂ…穿刺針末端
１２…穿刺孔
１２−ａ…穿刺孔入口
１２−ｂ…穿刺孔出口
１３…固定具
【図１】
0003904877.tif 000002
【図２】
0003904877.tif 000003
【図３】
0003904877.tif 000004
【図４】
0003904877.tif 000005
【図５】
0003904877.tif 000006
【図６】
0003904877.tif 000007
【図７】
0003904877.tif 000008
【図８】
0003904877.tif 000009
【図９】
0003904877.tif 000010